(57)【特許請求の範囲】
【請求項１】
本体内部に、空気中の水分を吸着する除湿ローターと、前記除湿ローターを回転させる駆動手段と、前記除湿ローターから水分を放出させる発熱手段と、この発熱手段により前記除湿ローターから放出された高温高湿空気を結露させる熱交換器と、前記熱交換器を通過した高温高湿空気を前記発熱手段に戻すダクトと、前記発熱手段、除湿ローター、熱交換器、ダクトの順序に通過する空気を閉循環させる第１送風手段と、前記熱交換器を冷却するとともに前記除湿ローターに水分を吸着させて吹出口から乾燥空気を送出する第２送風手段と、前記発熱手段を保持する前面が開口した略扇形形状の箱体と、この箱体の開口面を覆う蓋部とを有し、前記箱体には前記第１送風手段からの送風を取り込む１つの入口部と、前記蓋部には発熱手段で加熱された空気を吹出す１つの開口部を設け、前記箱体内部に発熱手段を通過する複数の通風路を形成し、前記蓋部の開口部の端辺を平板状に形成し、この前記蓋部の前記開口部の端辺の面積は前記入口部側が最も広く、前記発熱手段は前記箱体内で加熱ヒーターを収納する枠体を備え、前記加熱ヒーターを収納する前記枠体は、前記蓋部の前記開口部の端辺に沿う位置に前記枠体のうち、前記箱体の入口部側の一辺に前記入口部側へ折れ曲がった折曲部を設け、この折曲部の一部は、前記開口部の内方に位置すると共に、前記折曲部の先端と前記開口部の入口部側の端辺とが重なる除湿装置。
【発明の詳細な説明】
【技術分野】
【０００１】
本発明は、室内空気を除湿する除湿機に関するものである。
【背景技術】
【０００２】
従来、この種の除湿機は、図９および図１０に示すものが一般的であった。（例えば、特許文献１参照）。
【０００３】
以下、その除湿機について図を参照しながら説明する。
【０００４】
図に示すように、本体１０１内には空気中の水分を吸着する除湿ローター１０２と、除湿ローター１０２を回転させる駆動手段１０３と、除湿ローター１０２から水分を放出させる発熱ユニット１０４と、この発熱ユニット１０４により除湿ローター１０２から放出された高温高湿空気を結露させる熱交換器１０５と、熱交換器１０５を通過した高温高湿空気を発熱ユニット１０４に戻すダクト１０５ａを内蔵している。発熱ユニット１０４、除湿ローター１０２、熱交換器１０５、ダクト１０５ａは仕切り板（図示せず）によって支持され、本体１０１内部に固定されている。第１送風手段１０７により発熱ユニット１０４、除湿ローター１０２、熱交換器１０５、ダクト１０５ａの順序に通過する空気を閉循環させる閉循環風路ａと、第２送風手段１０８により熱交換器１０５を冷却するとともに除湿ローター１０２に水分を吸着させて吹出口から乾燥空気を送出する風路ｂを形成している。なお閉循環風路ａにおいて、熱交換器１０５内で結露を起こして生じた結露水は排水タンク１０９に貯えるようになっている。また、発熱ユニット１０４の加熱ヒーター１０４ａと外枠１０４ｂとの間には発熱ヒーター１０４ａ前面を覆うように遮蔽板１０４ｃを設け、外枠１０４ｂと遮蔽板１０４ｃの間に空気層１０４ｄを設けた構成となっている。
【特許文献１】特開２００３―３８９３０号公報（第５−６頁、第１図、第２図）
【発明の開示】
【発明が解決しようとする課題】
【０００５】
このような従来の除湿装置では、加熱ヒーターを通過する送風量が均一でないため、加熱ヒーターの温度分布は不均一となり、除湿ローターに温度ムラができて、水分の脱着機能が不足するため、除湿能力も充分に発揮できないという課題があった。
【０００６】
また、除湿性能を確保するには、蓋部と除湿ローターの隙間からの空気漏れを防止するため隙間を最小限に抑える必要があるが、蓋部の開口端面が加熱ヒーターに近いので、熱膨張による反りが生じやすく、除湿ローターとの隙間を適正に確保できないという課題があった。
【０００７】
本発明は、このような従来の課題を解決するものであり、加熱ヒーターへ供給する送風量をできるだけ均等に分散して、加熱ヒーターを通過する温風温度や表面温度のアンバランスを解消することで、除湿ローターの表面を均一に加熱して、水分の脱着効率に優れた除湿装置を提供するとともに、熱膨張により蓋部の端辺が反らないようにして、除湿ローターとの適正な隙間を確保して空気漏れを防ぐことのできる除湿装置を提供することを目的とする。
【課題を解決するための手段】
【００１８】
本発明の除湿装置は、上記目的を達成するために、本体内部に、空気中の水分を吸着する除湿ローターと、前記除湿ローターを回転させる駆動手段と、前記除湿ローターから水分を放出させる発熱手段と、この発熱手段により前記除湿ローターから放出された高温高湿空気を結露させる熱交換器と、前記熱交換器を通過した高温高湿空気を前記発熱手段に戻すダクトと、前記発熱手段、除湿ローター、熱交換器、ダクトの順序に通過する空気を閉循環させる第１送風手段と、前記熱交換器を冷却するとともに前記除湿ローターに水分を吸着させて吹出口から乾燥空気を送出する第２送風手段と、前記発熱手段を保持する前面が開口した略扇形形状の箱体と、この箱体の開口面を覆う蓋部とを有し、前記箱体には前記第１送風手段からの送風を取り込む１つの入口部と、前記蓋部には発熱手段で加熱された空気を吹出す１つの開口部を設け、前記箱体内部に発熱手段を通過する複数の通風路を形成し、前記蓋部の開口部の端辺を平板状に形成し、この前記蓋部の前記開口部の端辺の面積は前記入口部側が最も広く、前記発熱手段は前記箱体内で加熱ヒーターを収納する枠体を備え、前記加熱ヒーターを収納する前記枠体は、前記蓋部の前記開口部の端辺に沿う位置に前記枠体のうち、前記箱体の入口部側の一辺に前記入口部側へ折れ曲がった折曲部を設け、この折曲部の一部は、前記開口部の内方に位置すると共に、前記折曲部の先端と前記開口部の入口部側の端辺とが重なる除湿装置としたものである。
【００１９】
この手段により、蓋部の開口部の端辺を簡単な形状としても、熱膨張により反らないようにして、除湿ローターとの適正な隙間を確保して空気漏れを防ぐことのできる除湿装置が得られる。
【発明の効果】
【００２５】
また、蓋部の開口部の端辺に沿う位置に枠体のうち、箱体の入口部側の一辺に入口部側へ折れ曲がった折曲部を設けているので、加熱ヒーターから受熱に対して、枠体の折曲部は熱膨張による変形が少なく、蓋部の開口部の端辺の面積は入口部側が最も広く、発熱手段は箱体内で加熱ヒーターを収納する枠体を備え、加熱ヒーターを収納する枠体は、蓋部の開口部の端辺に沿う位置に枠体のうち、箱体の入口部側の一辺に入口部側へ折れ曲がった折曲部を設け、この折曲部の一部は、開口部の内方に位置すると共に、折曲部の先端と開口部の入口部側の端辺とが重なるので、入口部側の蓋部の開口部の端辺での熱的影響を防ぐことができ、蓋部の開口部を簡素に形成できるとともに、蓋部と除湿ローターの隙間を適正に保つことができる。
【発明を実施するための最良の形態】
【００３１】
また、加熱ヒーターを収納する枠体は、蓋部の開口部の端辺に沿う位置に、枠体のうち、箱体の入口部側の一辺に入口部側へ折れ曲がった折曲部を設けているので、加熱ヒーターから温風熱などを受けた場合でも、枠体の折曲部は熱膨張によって変形しにくくなり、蓋部の開口部の端辺の面積は入口部側が最も広く、発熱手段は箱体内で加熱ヒーターを収納する枠体を備え、加熱ヒーターを収納する枠体は、蓋部の開口部の端辺に沿う位置に枠体のうち、箱体の入口部側の一辺に入口部側へ折れ曲がった折曲部を設け、この折曲部の一部は、開口部の内方に位置すると共に、折曲部の先端と開口部の入口部側の端辺とが重なるので、入口部側の蓋部の開口部の端辺が平板状であっても熱変形を防ぐことができ、蓋部の開口部の形状を簡素化できるとともに、蓋部と除湿ローターの隙間を適正に保つことができるという作用を有する。
【００３２】
以下、本発明の実施の形態について、図面を参照しながら説明する。
【００３３】
（前提例１）
図１〜図５に示すように、本体１内部に、空気中の水分を吸着する除湿ローター２と、除湿ローター２を回転させる駆動手段３と、除湿ローター２から水分を放出させる発熱手段１０を備えている。この発熱手段１０により除湿ローター２から高温高湿空気を放出させ、さらに熱交換器５を通過するときに高温高湿空気を結露させる。ダクト５ａは熱交換器５を通過した高温高湿空気を発熱手段１０に戻すものであり、第１送風手段７により発熱手段１０、除湿ローター２、熱交換器５、ダクト５ａの順序に空気を閉循環させている。
【００３４】
また、第２送風手段８は熱交換器５を冷却するとともに、除湿ローター２に水分を吸着させて吹出口１２から室内に乾燥空気を送出している。前面が開口した略扇形形状の箱体１０ａは発熱手段１０を保持するとともに、箱体１０ａの開口面を覆うように、１つの開口部１１ａを備えた蓋部１１が結合している。また箱体１０ａには第１送風手段７からの送風を取り込む１つの入口部１０ｂを備え、蓋部１１の開口部１１ａは発熱手段１０で加熱された空気を除湿ローター２へと吹き出すものである。
【００３５】
また、発熱手段１０は箱体１０ａ内で加熱ヒーター１０ｅを収納する枠体１６を備え、この枠体１６の両側面に第１開口穴１６ａと第２開口穴１６ｂを設け、複数の通風路として枠体１６の表裏面をそれぞれ通過する表通風路１０ｃと裏通風路１０ｄを設けている。表通風路１０ｃは箱体１０ａの入口部１０ｂから第１開口穴１６ａ、加熱ヒーター１０ｅおよび蓋部１１の開口部１１ａに連通し、裏通風路１０ｄは箱体１０ａの入口部１０ｂから枠体１６の裏面、第２開口穴１６ｂ、加熱ヒーター１０ｅおよび蓋部１１の開口部１１ａに連通して設けている。
【００３６】
また、枠体１６内で加熱ヒーター１０ｅを支持するために縦横に配置された複数の縦絶縁板１３および横絶縁板１４備え、枠体１６の側面に第１開口穴１６ａを設け、横絶縁板１４は第１開口穴１６ａから蓋部１１の開口部１１ａまでの表通風路１０ｃを複数の通風路として分離している。
【００３７】
さらに、加熱ヒーター１０ｅを支持する縦絶縁板１３の高さを順次変えることにより、加熱ヒーター１０ｅへ供給する風量をバランスよく適正に配分している。
【００３８】
上記構成により、箱体１０ａは発熱手段１０として枠体１６に収納された加熱ヒーター１０ｅを保持するとともに、この箱体１０ａの開口面を覆う蓋部１１とを有している。
【００３９】
第１送風手段７からの送風を箱体１０ａの側方に設けた１つの入口部１０ｂより取り込み、枠体１６内の加熱ヒーター１０ｅで加熱して、蓋部１１に設けた１つ開口部１１ａより高温空気を除湿ローター２へ吹出している。このとき箱体１０ａの内部に加熱ヒーター１０ｅを通過する通風路１５を複数形成して、箱体１０ａ内の気流を分散することにより、加熱ヒーター１０ｅへの風速分布のアンバランスを調整することができるので、除湿ローター２表面を均一に加熱できるものである
【００４０】
すなわち、箱体１０ａに設けた１つの入口部１０ｂから、蓋部１１に設けた１つの開口部１１ａに至る風路を、枠体１６の表側を通る表通風路１０ｃと枠体１６の裏側を通る裏通風路１０ｄの２つに分け、また枠体１６の両側面に設けた第１開口穴１６ａと第２開口穴１６ｂに各風路をそれぞれ通過させることにより、裏通風路１０ｄは入口部１０ｂとは反対側にある通風の行き届かない加熱ヒーター１０ｅへ確実に通風することができるので、加熱ヒーター１０ｅへの風速分布のアンバランスを調整して温風温度を均一化することができる。
【００４１】
さらに、表通風路１０ｃにおいて、枠体１６内の加熱ヒーター１０ｅを横断するように配置された横絶縁板１４が通風を遮蔽する仕切りとなり、複数の通風路１５を形成することができる。すなわち箱体１０ａの入口部１０ｂから第１開口穴１６ａを通過する表通風路１０ｃを、横絶縁板１４により枠体１６内で複数の通風路１５に分離できるので、枠体１６内を通過する気流を広く分散することができ、加熱ヒーター１０ｅへの風速分布を均等に調整することができる。
【００４２】
また、加熱ヒーター１０ｅを支持する縦絶縁板１３の高さを順次高くすることにより、箱体１０ａの入口部１０ｂから第１開口穴１６ａを通過して枠体１６内に流入する通風量を、高さの異なる縦絶縁板１３により均等に分配することができ、加熱ヒーター１０ｅへの通過風量を均等に調整して、満遍なく温風を除湿ローター２に供給することができる。
【００４３】
（前提例２）
図６に示すように、蓋部１１の開口部１１ａの端辺に沿って段差部１１ｂを形成し、加熱ヒーター１０ｅに近接して設けている。
【００４４】
上記構成により、蓋部１１の開口部１１ａの端辺は段差部１１ｂを有しているので、近接する加熱ヒーター１０ｅから熱を受けた場合でも、蓋部１１の開口部１１ａの端辺は熱膨張によって変形しにくくなるため、蓋部１１と除湿ローター２の隙間を適正に保つことができ、閉循環させている空気の漏れを生じないようにして、除湿ローター２の再生効率を維持することにより、除湿能力を安定して発揮できる除湿装置を提供することができる。
【００４５】
（実施の形態１）
図７および図８に示すように、加熱ヒーター１０ｅを収納する枠体１６は、蓋部１１の開口部１１ａの端辺に沿う位置に折曲部１６ｃを設け、蓋部１１の開口部１１ａの端辺を平板状に形成するとともに、折曲部１６ｃと重なる構成としている。
【００４６】
上記構成により、蓋部１１の開口部１１ａの端辺に沿う位置に、枠体１６の折曲部１６ｃを設けているので、加熱ヒーター１０ｅから温風熱などを受けた場合でも、枠体１６の折曲部１６ｃは熱膨張によって変形しにくいため、蓋部１１の開口部１１ａの端辺が平板状であっても熱変形を防ぐことができ、蓋部１１の開口部１１ａの形状を簡素化できるとともに、蓋部１１と除湿ローター２の隙間を適正に保つことができる。したがって、蓋部１１と除湿ローター２の隙間から循環空気の漏れが防止できるので、除湿ローター２の再生効率を維持することができ、除湿能力を安定して発揮できる除湿装置を提供することができる。
【図面の簡単な説明】
【００４７】
【図１】前提例１の除湿装置を示す概略模式図
【図２】同、発熱手段の外観斜視図
【図３】同、発熱手段の要部断面図
【図４】同、発熱手段の平面図
【図５】同、発熱手段の断面図
【図６】前提例２の除湿装置の発熱手段の外観斜視図
【図７】本発明の実施の形態１の除湿装置の発熱手段の外観斜視図
【図８】同、発熱手段の解斜視図
【図９】従来の除湿装置を示す概略模式図
【図１０】同、発熱ユニットの断面図
【符号の説明】
【００４８】
１      本体
２      除湿ローター
３      駆動手段
５      熱交換器
５ａ    ダクト
７      第１送風手段
８      第２送風手段
１０    発熱手段
１０ａ  箱体
１０ｂ  入口部
１０ｃ  表通風路
１０ｄ  裏通風路
１０ｅ  加熱ヒーター
１１    蓋部
１１ａ  開口部
１１ｂ  段差部
１２    吹出口
１３    縦絶縁板
１４    横絶縁板
１５    通風路
１６    枠体
１６ａ  第１開口穴
１６ｂ  第２開口穴
１６ｃ  折曲部
【図１】
0005407118.tif 000002
【図２】
0005407118.tif 000003
【図３】
0005407118.tif 000004
【図４】
0005407118.tif 000005
【図５】
0005407118.tif 000006
【図６】
0005407118.tif 000007
【図７】
0005407118.tif 000008
【図８】
0005407118.tif 000009
【図９】
0005407118.tif 000010
【図１０】
0005407118.tif 000011